(57)【要約】      （修正有）【課題】ボタンの隙間から下着や肌が見えるのを防ぐことができる前合わせシャツを提供する。【解決手段】上前身頃２１と下前身頃２２を身体の前部で重ね合わせて着用する前合わせシャツ１であって、上前身頃２１と下前身頃２１とが重ね合わされる胸元より下部に、上前身頃２１の表面から隠れる位置でファスナーが設けられ、上前身頃２１と下前身頃２２とが重ね合わされる胸元より上部には、上前身頃２１にボタンホール８０が、下前身頃２２にボタンホール８０に対応するボタン８１が設けられ、ファスナーを隠す上前身頃２１の表面に、飾りボタンが設けられている。【選択図】図２
0003188789.tif 000002
【実用新案登録請求の範囲】
【請求項１】
上前身頃と下前身頃を身体の前部で重ね合わせて着用する前合わせシャツであって、
前記上前身頃と下前身頃とが重ね合わされる胸元より下部に、前記上前身頃の表面から隠れる位置でファスナーが設けられ、
前記上前身頃と下前身頃とが重ね合わされる胸元より上部には、上前身頃にボタンホールが、下前身頃にボタンホールに対応するボタンが設けられ、
前記ファスナーを隠す上前身頃の表面に、飾りボタンが設けられていることを特徴とする前合わせシャツ。
【請求項２】
前記上前身頃と下前身頃に重ね合わされる胸元より下部には、前記上前身頃の裏面にスナップボタンの一方のスナップが、前記下前身頃の表面にスナップボタンの他方のスナップが、設けられていることを特徴とする請求項１に記載の前合わせシャツ。
【考案の詳細な説明】
【技術分野】
【０００１】
この考案は、身体の前で重ね合わせて着用する前合わせシャツに関するものである。
【背景技術】
【０００２】
例えば、ブラウスやワイシャツなどの前合わせシャツは、上前身頃と下前身頃を身体の前部で重ね合わせ、ボタンなどで留めて着用する。上前身頃と下前身頃のいずれかの一方の端部には、端部に沿ってボタンが設けられ、他方の端部には、前記ボタンの位置に合わせたボタンホールが形成されており、前記ボタンをボタンホールにかけて着用するようになっている。
【０００３】
ブラウスやワイシャツなどの前合わせシャツは、布地から自己の体型に合わせて仕立てるのが理想であるが、既製品を着用することの方がむしろ多い。既製品の場合は、体型によっては、ボタンとボタンホールとの間が引っ張られて、ボタンの隙間から下着や肌が見えることがある。女性にとっては、ボタンの隙間から下着や肌が見えるのは恥ずかしく、サイズが大きいものを着用したりして対処しているのが実情である。しかし、サイズの大きなものでは、着用した時のシルエットもきれいとはいえないものであった。
【０００４】
また、前身頃と後身頃に、各々ダーツを設け、このダーツは、前立てに沿う方向にあって、ほどきやすくし、ダーツをほどくことにより、サイズを拡張することができるシャツが提案されている（特許文献１参照）。
【０００５】
しかしながら、上記特許文献１に記載のシャツにおいても、ボタンとボタンホールとの間が引っ張られた場合には、ボタンの隙間から下着や肌が見えるという問題は解消されていない。
【先行技術文献】
【特許文献】
【０００６】
【特許文献１】特開２０１１−１８４８２９号公報
【考案の概要】
【考案が解決しようとする課題】
【０００７】
この考案は、ボタンの隙間から下着や肌が見えるのを防ぐことができる前合わせシャツを提供することを課題とするものである。
【課題を解決するための手段】
【０００８】
この考案は、上記の課題を解決するために、上前身頃と下前身頃を身体の前部で重ね合わせて着用する前合わせシャツであって、前記上前身頃と下前身頃とが重ね合わされる胸元より下部に、前記上前身頃の表面から隠れる位置でファスナーが設けられ、前記上前身頃と下前身頃とが重ね合わされる胸元より上部には、上前身頃にボタンホールが、下前身頃にボタンホールに対応するボタンが設けられ、前記ファスナーを隠す上前身頃の表面に、飾りボタンが設けられているように構成している。
【０００９】
また、前記上前身頃と下前身頃に重ね合わされる胸元より下部には、前記上前身頃の裏面にスナップボタンの一方のスナップを、前記下前身頃の表面にスナップボタンの他方のスナップを設けるとよい。
【考案の効果】
【００１０】
この考案においては、胸元より下の部分がファスナーで留められているので、ボタンの間から下着や肌が見えることを防ぐことができる。
【図面の簡単な説明】
【００１１】
【図１】この考案の実施形態の前合わせシャツの前立てを開いた状態を示す正面図である。
【図２】この考案の実施形態の前合わせシャツのファスナーを開いた状態を示す正面図である。
【図３】この考案の実施形態の前合わせシャツを示す正面図である。
【考案を実施するための形態】
【００１２】
この考案の実施形態を添付図面に基づいて具体的に説明する。なお、本考案に係る前合わせシャツは、下記の実施形態に示したものに限定されず、その要旨を変更しない範囲において適宜変更して実施できるものである。
【００１３】
図１〜図３は、この考案の実施形態にかかる前合わせシャツを示し、このシャツ１は、例えば、ストレッチ素材で構成され、前身頃２と、後身頃３と、襟４と、カフス５と、袖６を有している。
【００１４】
前身頃２は、上前身頃２１と、下前身頃２２とからなり、上前身頃２１の縁部には上前立て２３が、下前身頃２２の縁部には下前立て２４が設けられている。前身頃２の両脇には、ダーツ２５が設けられている。上前身頃２１の前立て２３と下前身頃２２の下前立て２４が重ね合わされ、これらの間を後述するファスナー７とボタンホール８０にかけ留められるボタン８１により、上前身頃２１と下前身頃２２とが開閉される。
【００１５】
上前身頃２１の上前立て２３の胸元より上部には、ボタンホール８０、この実施形態では、３つのボタンホール８０が設けられている。下前身頃２２の胸元より上部には、下前立て２４に沿って、ボタンホール８０にかけ留められる３つのボタン８１が設けられている。
【００１６】
上前身頃２１の上前立て２３の胸元より下部、下前身頃２２の胸元より下部には、ファスナー７が取り付けられ、ファスナー７の開閉により、上前身頃２１と下前身頃２２との間の開閉が行えるように構成している。このファスナー７を閉じると、上前身頃２１の上前立て２４により、ファスナー７は隠れることになる。即ち、図１および図２に示すように、上前身頃２１の上前立て２３の胸元より下部の縁部にファスナー７の一方のテープ７１が取り付けられ、下前身頃２２の胸元より下部の縁部に他方のテープ７２が取り付けられている。テープ７１、７２には、それぞれエレメントが設けられ、スライダー７３により、エレメントを噛み合わせ、又は開放し、ファスナー７が開閉する。
【００１７】
図３に示すように、上前立て２３の胸元より下部の表面側には、飾りボタン８２、この実施形態では、４個の飾りボタン８２が取り付けられている。この飾りボタン８２は、ボタン８１と同じものが用いられている。
【００１８】
上前立て２３の胸元より下部の裏面には、スナップボタン８としての、雄スナップ８３ａが上下に所定間隔を有して２個取り付けられている。下前立て２４の胸元より下部の前立て２４の表面側に沿ってスナップボタン８としての、雌スナップ８３ｂが上下に所定間隔を有して２個取り付けられている。
【００１９】
図３に示すように、ファスナー７を閉じて、スナップボタン８を止めると、ボタン８１、８２により、シャツ１の前を閉じたように視認できる。
【００２０】
普通のシャツは、ボタンにより開閉されるのに対して、この実施形態では、ファスナー７の開閉により行える。そして、このシャツ１は、ファスナー７の開閉で行えるので、小さなボタンをいくつも留めることがなく、急いでいるときにすばやく着ることができる。そして、外側にはダミーの飾りボタン８２が設けられているので、外観からは通常のシャツとして見える。
【００２１】
また、ファスナー７が見えないように、上前立て２３でファスナー７部分を覆い、更にスナップボタン８を留めることで、ファスナー７を隠すことができる。更に、胸元より、下の部分がファスナー７で留められているので、飾りボタン８２の間から下着や肌が見えることを防ぐことができる。
【００２２】
また、胸元より上の部分は、普通のボタン８１とボタンホール８０での開閉になるので、ボタン８１を外して着ることもでき、着用する人の自由度も確保できる。
【符号の説明】
【００２３】
１      シャツ
２      前身頃
３      後身頃
４      襟
５      カフス
６      袖
７      ファスナー
８      スナップボタン
２１    上前身頃
２２    下前身頃
８０    ボタンホール
８１    ボタン
８２    飾りボタン
【図１】
0003188789.tif 000003
【図２】
0003188789.tif 000004
【図３】
0003188789.tif 000005